(57)【特許請求の範囲】
【請求項１】
基礎面部に、前後方向に所定の間隔をおき、且つ後方ほど高さの高い支持脚を列状に配置し、これら支持脚による列を横に一定間隔をおいて複数設け、
上記複数列設けられた各列の上記支持脚間に、それぞれ傾斜状に受梁材を架設し、
上記受梁材の上部に、段床の各段に対応する間隔をおいて束材を立設し、
上記束材の上部に載置される上板部、この上板部の前端部から下方向きに形成される蹴込み板部、及びこの蹴込み板部の下端部から前方に屈曲形成され、一部が上記受梁材の上部に位置する下板部からなる蹴込み材を、上記各列の上記受梁材間にわたって配置し、
上記束材を鉛直に立設する一方、上記蹴込み材の水平に配置される上板部に対する上記蹴込み板部の角度を鋭角状に形成し、
上記蹴込み板部の下端部は、上記束材の前側下部と上記受梁材とが交差する位置に配置し、
各段の上記蹴込み材の内、前側の上記蹴込み材の上板部の上部と後側の上記蹴込み材の下板部の上部間に、複数の根太材を架設し、これら根太材の上部に踏み板を配置し踏み面を形成したことを特徴とする段床ユニット構造。
【請求項２】
基礎面部に、前後方向に所定の間隔をおき、且つ後方ほど高さの高い支持脚を列状に配置し、これら支持脚による列を横に一定間隔をおいて複数設け、
上記複数列設けられた各列の上記支持脚間に、それぞれ傾斜状に受梁材を架設し、
上記受梁材の上部に、段床の各段に対応する間隔をおいて束材を立設し、
上記束材の上部に載置される上板部及びこの上板部の前端部から下方向きに形成される上部蹴込み板部からなる上部蹴込み材、並びに上記上部蹴込み板部と平行な状態又は同一延長面上に配置される下部蹴込み板部、及びこの下部蹴込み板部の下端部から前方に屈曲形成され、一部が上記受梁材の上部に位置する下板部からなる下部蹴込み材を有する蹴込み材を、上記各列の上記受梁材間にわたって配置し、
上記束材を鉛直に立設する一方、上記上部蹴込み材の水平に配置される上板部に対する上記上部蹴込み板部及び上記下部蹴込み板部の角度を鋭角状に形成し、
上記下部蹴込み板部の下端部は、上記束材の前側下部と上記受梁材とが交差する位置に配置し、
各段の上記蹴込み材の内、前側の上記蹴込み材の上板部の上部と後側の上記蹴込み材の下板部の上部間に、複数の根太材を架設し、これら根太材の上部に踏み板を配置し踏み面を形成したことを特徴とする段床ユニット構造。
【請求項３】
上記上部蹴込み材の上部蹴込み板部と、上記下部蹴込み材の下部蹴込み板部との両者を重ね合わせた状態、又は上記両者を、間隔を設けて離した状態に配置したことを特徴とする請求項２記載の段床ユニット構造。
【請求項４】
上記支持脚は、支持台に高さ調整可能に取り付けた調整ボルト、及び上記調整ボルトの上部に設けた受け具に保持され、上記受梁材に応じた角度の斜面部又は前後に円弧状をなす円弧面部が形成された弾性受材からなり、上記弾性受材の斜面部又は円弧面部に上記受梁材を載置することを特徴とする請求項１乃至３の何れかに記載の段床ユニット構造。
【請求項５】
上記受梁材の上部に、この受梁材に固定される保持台具、高さ調整可能な調整ボルト及びこの調整ボルトの上部に配置される受け部を有する支持部材を配置し、上記受け部により上記踏み面の下部を支持させることを特徴とする請求項１乃至４の何れかに記載の段床ユニット構造。
【請求項６】
上記受梁材の上部と上記束材とが交差する前後箇所の一方の上記受梁材と上記束材間に、蝶番を取り付け、上記受梁材に対する上記束材の角度を調整し、上記束材を立設したことを特徴とする請求項１乃至５の何れかに記載の段床ユニット構造。
【請求項７】
上記前後箇所の他方の上記受梁材と上記束材間に、固定材を取り付け、上記束材を上記受梁材に固定したことを特徴とする請求項６に記載の段床ユニット構造。
【請求項８】
最前部の上記支持脚の前方の基礎面部に、それぞれ保持具を設置し、上記保持具により上記受梁材の前端部を保持することを特徴とする請求項１乃至７の何れかに記載の段床ユニット構造。
【請求項９】
第二受梁材の端部を上記受梁材とともに上記保持具に保持し、且つこの第二受梁材を前方に延設し、
上記第二受梁材の前端部に第二束材を立設し、
上記第二束材の上部に載置される上板部、この上板部の前端部から下方向きに形成される蹴込み板部、及びこの蹴込み板部の下端部から後方に屈曲形成される下板部からなる第二蹴込み材を、各列の上記第二受梁材間にわたって配置し、
上記第二蹴込み材の上板部と、直後の上記蹴込み材の下板部との間に、踏み板を用いた踏み面を形成することを特徴とする請求項８に記載の段床ユニット構造。
【請求項１０】
上記各列の受梁材の前端部を前方に延長した基礎面部に、台座具、調整ボルト及び受け部からなる支持材を立設し、上記各支持材の受け部の上部と、直後の上記蹴込み材の下板部との間に、踏み板を用いた踏み面を形成することを特徴とする請求項１乃至８の何れかに記載の段床ユニット構造。
【請求項１１】
上記各列の受梁材の前端部を前方に延長した基礎面部に、台座具、調整ボルト及び受け部からなる支持材を立設し、
上記支持材の受け部の上部に載置される上板部、この上板部の前端部から下方向きに形成される蹴込み板部からなる第三蹴込み材を、上記各支持材間にわたって配置し、
上記第三蹴込み材の上板部と、直後の上記蹴込み材の下板部との間に、踏み板を用いた踏み面を形成することを特徴とする請求項１乃至８の何れかに記載の段床ユニット構造。
【請求項１２】
上記基礎面部の前後方向に、請求項１乃至１１の何れかに記載の段床ユニット構造の段床を構築し、さらにこの横に隣接して上記段床ユニット構造の段床を順次構築したことを特徴とする段床構造。
【発明の詳細な説明】
【技術分野】
【０００１】
本発明は、ホール等に設置される階段状の段床を形成する段床ユニット構造及び段床構造に関する。
【背景技術】
【０００２】
従来、客席を設けるための段床構造が知られており、例えば特許文献１に記載の段床構造は、図２１に示すように、踏み板１２０の基端に蹴上げ板１２２を立設して基板片とし、多数段の基板片から段床基板１２４を構成し、これら段床基板１２４の最下位置の踏み板１２０の先端の接合片１２１と、他の段床ユニット１２６の蹴上げ板の上端とを接合（リベットで接合すると共に溶接）し、踏み板１２０の基端側に下方に向けた高さ調節手段１２８を設けて段床ユニット１２６を構成し、所定位置に配置した受梁１３０上に段床ユニット１２６を受梁に沿って階段状に重ね固定した、というものである。
【０００３】
特許文献２に記載の階段状床面の床構造は、階段状に形成されたささら桁、及びこの上に架け渡され客席床を構成する床版を備え、上記床版は水平部、第１の垂直部及び第２の垂直部からなり、これら水平部、第１および第２の垂直部で囲まれた空間部を空調ダクトとして使用することができる、というものである。
【０００４】
また特許文献３に記載の階段状客席用の床構造は、プレキャストコンクリートからなる異形ユニットを受梁上に多数配置し、上方ユニットの床壁の突出部分と、下方ユニットの前後壁及びこれら前後壁間の床壁で囲成された空調送風用チャンバーを設け、上方ユニットと下方ユニットとの間の隙間を空気吹出通路としたというものである。
【先行技術文献】
【特許文献】
【０００５】
【特許文献１】特開２０００−２３０３０３号公報
【特許文献２】特開平８−４３３３号公報
【特許文献３】特開２００１−１０８２９０号公報
【発明の概要】
【発明が解決しようとする課題】
【０００６】
さて、上記特許文献１に記載の段床構造は、多数段の段床基板を用いる構造であるため、材料が大型化して作業性に欠け、また拡張性、搬送性にも欠けるという問題がある。また、特許文献２の床構造についても、階段状に形成されたささら桁等を用いているため、材料が大型化し、特許文献１と同様の問題がある。特許文献３の床構造は、階段状の床をプレキャストコンクリートで構成しているため、その取り扱いに注意を要し、搬送性、施工性にも欠けるという問題がある。
【０００７】
本発明は上記問題点を解決するためになされたものであり、生産性、経済性に優れ、また施工性にも優れた段床ユニット構造及び段床構造を提供することを目的とする。
【課題を解決するための手段】
【０００８】
以上の技術的課題を解決するため、本発明に係る段床ユニット構造は図１等に示すように、基礎面部２に、前後方向に所定の間隔をおき、且つ後方ほど高さの高い支持脚４を列状に配置し、これら支持脚４による列を横に一定間隔をおいて複数設け、上記複数列設けられた各列の上記支持脚４間に、それぞれ傾斜状に受梁材６を架設し、上記受梁材６の上部に、段床の各段に対応する間隔をおいて束材８を立設し、上記束材８の上部に載置される上板部７８、この上板部の前端部から下方向きに形成される蹴込み板部８０、及びこの蹴込み板部の下端部から前方に屈曲形成され、一部が上記受梁材６の上部に位置する下板部８２からなる蹴込み材１０を、上記各列の上記受梁材６間にわたって配置し、各段の上記蹴込み材１０の内、前側の蹴込み材１０の上板部７８と直後の蹴込み材１０の下板部８２との間に、踏み板１４を用いた踏み面１３を形成する構成である。
【０００９】
また、本発明に係る段床ユニット構造は、基礎面部２に、前後方向に所定の間隔をおき、且つ後方ほど高さの高い支持脚４を列状に配置し、これら支持脚による列を横に一定間隔をおいて複数設け、上記複数列設けられた各列の上記支持脚４間に、それぞれ傾斜状に受梁材６を架設し、上記受梁材の上部に、段床の各段に対応する間隔をおいて束材８を立設し、上記束材８の上部に載置される上板部及びこの上板部の前端部から下方向きに形成される上部蹴込み板部からなる上部蹴込み材１５２，１５３、並びに上記上部蹴込み板部と平行な状態又は同一面上に配置される下部蹴込み板部、及びこの下部蹴込み板部の下端部から前方に屈曲形成され、一部が上記受梁材６の上部に位置する下板部からなる下部蹴込み材１５４，１５５を有する蹴込み材１５０，１５１を、上記各列の上記受梁材間にわたって配置し、各段の上記蹴込み材の内、前側の蹴込み材の上板部と直後の蹴込み材の下板部との間に、踏み板１４を用いた踏み面１３を形成する構成である。
ここで、上記平行な状態とは、例えば上部蹴込み板部と下部蹴込み板部の各板面同士が平行な状態、或いはこれら両蹴込み板部同士が交差しない状態等をいう。
【００１０】
本発明に係る段床ユニット構造は、上記上部蹴込み材の上部蹴込み板部と、上記下部蹴込み材の下部蹴込み板部との両者を重ね合わせた状態、又は上記両者を、間隔を設けて離した状態に配置した構成である。
【００１１】
また、本発明に係る段床ユニット構造は、上記前側の蹴込み材の上板部と後側の蹴込み材の下板部間に、複数の根太材１２を架設し、これら根太材１２の上部に上記踏み板１４を用いた踏み面１３を形成する構成である。
【００１２】
本発明に係る段床ユニット構造として、上記支持脚４は、支持台２２に高さ調整可能に取り付けた調整ボルト２６、及び上記調整ボルトの上部に設けた受け具２８に保持され、上記受梁材６に応じた角度の斜面部又は前後に円弧状をなす円弧面部が形成された弾性受材からなり、上記弾性受材の斜面部又は円弧面部に上記受梁材６を載置する構成である。
【００１３】
本発明に係る段床ユニット構造は、上記受梁材６の上部に、この受梁材６に固定される保持台具、高さ調整可能な調整ボルト及びこの調整ボルトの上部に配置される受け部を有する支持部材２１０，２３０を配置し、上記受け部により上記踏み面１３の下部を支持させる構成である。
【００１４】
本発明に係る段床ユニット構造は、上記受梁材６の上部と上記束材８とが交差する前後箇所の一方の上記受梁材６と上記束材８間に、蝶番１９０を取り付け、上記受梁材６に対する上記束材８の角度を調整し、上記束材を立設した構成である。
【００１５】
本発明に係る段床ユニット構造は、上記前後箇所の他方の上記受梁材６と上記束材８間に、固定材２００を取り付け、上記束材８を上記受梁材６に固定した構成である。
【００１６】
本発明に係る段床ユニット構造は、最前部の上記支持脚４の前方の基礎面部２に、それぞれ保持具５を設置し、上記保持具５により上記受梁材６の前端部を保持する構成である。
【００１７】
本発明に係る段床ユニット構造は、第二受梁材７の端部を上記受梁材６とともに上記保持具５に保持し、且つこの第二受梁材７を前方に延設し、上記第二受梁材７の前端部に第二束材９を立設し、上記第二束材９の上部に載置される上板部８６、この上板部の前端部から下方向きに形成される蹴込み板部８８、及びこの蹴込み板部の下端部から後方に屈曲形成される下板部９０からなる第二蹴込み材１１を、各列の上記第二受梁材７間にわたって配置し、上記第二蹴込み材７の上板部８６と直後の上記蹴込み材の下板部との間に、踏み板１４を用いた踏み面１３を形成する構成である。
【００１８】
本発明に係る段床ユニット構造は、上記各列の受梁材６の前端部を前方に延長した基礎面部２に、台座具２４２、調整ボルト２４４及び受け部２４６からなる支持材２４０を立設し、上記各支持材２４０の受け部２４６の上部と、直後の上記蹴込み材の下板部との間に、踏み板１４を用いた踏み面１３を形成する構成である。
【００１９】
本発明に係る段床ユニット構造は、上記各列の受梁材６の前端部を前方に延長した基礎面部２に、台座具２４２、調整ボルト２４４及び受け部２４６からなる支持材２４０を立設し、上記支持材２４０の受け部２４６の上部に載置される上板部２５４、この上板部の前端部から下方向きに形成される蹴込み板部２５６からなる第三蹴込み材２５２を、上記各支持材２４０間にわたって配置し、上記第三蹴込み材２５２の上板部２５４と、直後の上記蹴込み材の下板部との間に、踏み板１４を用いた踏み面１３を形成する構成である。
【００２０】
本発明に係る段床構造は、上記基礎面部２の前後方向に、上記何れかに記載の段床ユニット構造の段床を構築し、さらにこの横に隣接して上記段床ユニット構造の段床を順次構築した構成である。
【発明の効果】
【００２１】
本発明に係る段床ユニット構造によれば、基礎面部に支持脚を列状に配置し、これら支持脚による列を横に一定間隔をおいて複数設け、支持脚間に傾斜状に受梁材を架設し、受梁材の上部に束材を立設し、束材の上部に載置される上板部、蹴込み板部、及び下板部からなる蹴込み材を、受梁材間にわたって配置し、各段の前側の蹴込み材の上板部と直後の蹴込み材の下板部との間に踏み面を形成する構成を採用したから、各部材を工場で生産し、現場ではこれら部材を組み立てることで段床が構築できることから、生産性、加工性及び経済性に優れ、また個々の部材をコンパクト化し、現場では主にネジを用いて、各部材を組み立てる形態であることから、作業が迅速且つ容易に行えて施工性にも優れるという効果を奏する。
【００２２】
また、本発明に係る段床ユニット構造によれば、基礎面部に支持脚を列状に配置し、各列の支持脚間に傾斜状に受梁材を架設し、受梁材の上部に束材を立設し、束材の上部に載置される上板部及び上部蹴込み板部からなる上部蹴込み材、並びに下部蹴込み板部、及びこの下部蹴込み板部の前方に屈曲形成される下板部からなる下部蹴込み材を有する蹴込み材を、各列の受梁材間にわたって配置し、各段の前側の蹴込み材の上板部と直後の蹴込み材の下板部との間に踏み面を形成する構成としたから、上記と同様に生産性、加工性及び経済性に優れ、また作業が迅速且つ容易に行えて施工性にも優れ、加えて蹴込みの高さによらず同じ蹴込み材の適用が可能となり汎用性、経済性に優れるという効果を奏する。
【００２３】
本発明に係る段床ユニット構造によれば、上部蹴込み材の上部蹴込み板部と、下部蹴込み材の下部蹴込み板部との両者を重ね合わせた状態、又は上記両者を、間隔を設けて離した状態に配置した構成としたから、蹴込みの高さによらず同一の蹴込み材の適用が可能で汎用性があり、また蹴込み材の材料が削減でき、経済性にも寄与するという効果がある。
【００２４】
本発明に係る段床ユニット構造によれば、前後の蹴込み材間に根太材を架設し、これら根太材の上部に踏み板を用いた踏み面を形成する構成としたから、上板材の取り付けが強固かつ安定して行えるという効果がある。
【００２５】
本発明に係る段床ユニット構造によれば、支持脚の上部に設けた受け具に弾性受材を保持し、その斜面部又は円弧面部に受梁材を載置する構成としたから、受梁材が効果的に弾性保持されるという効果がある。
【００２６】
本発明に係る段床ユニット構造によれば、受梁材の上部に支持部材を配置し、受け部により踏み面の下部を支持させる構成としたから、踏み面が補強され耐荷重性が高められるという効果がある。
【００２７】
本発明に係る段床ユニット構造によれば、上記受梁材の上部と上記束材とが交差する前後箇所の一方に、蝶番を取り付け、受梁材に対する束材の角度を調整し束材を立設した構成としたから、受梁材の傾斜角度の如何に係わらず、束材を特定方向（鉛直等）に立設することが可能となり、汎用性に富むという効果がある。
【００２８】
本発明に係る段床ユニット構造によれば、上記前後箇所の他方の受梁材と束材間に、固定材を取り付け、束材を受梁材に固定したから、束材の立設固定が補強されるという効果がある。
【００２９】
本発明に係る段床ユニット構造によれば、最前部の支持脚の前方の基礎面部に設置した保持具により受梁材の前端部を保持する構成としたから、受梁材の前端部が低位置で簡易に保持できるという効果がある。
【００３０】
本発明に係る段床ユニット構造によれば、第二受梁材の前端部に第二束材を立設し、第二蹴込み材を第二受梁材間にわたって配置し、第二蹴込み材の上板部と直後の蹴込み材の下板部との間に踏み面を形成する構成としたから、段床の構築に係り現場での作業が容易に行えて施工性に優れるという効果がある。
【００３１】
本発明に係る段床ユニット構造によれば、各列の受梁材を延長した基礎面部に支持材を立設し、各支持材の受け部の上部と直後の蹴込み材の下板部との間に、踏み板を用いた踏み面を形成する構成としたから、段床の構築に係り現場での作業が容易に行えて施工性に優れるという効果がある。
【００３２】
本発明に係る段床ユニット構造によれば、各列の受梁材を延長した基礎面部に支持材を立設し、第三蹴込み材を各支持材間にわたって配置し、第三蹴込み材の上板部と直後の蹴込み材の下板部との間に踏み面を形成する構成としたから、段床の構築に係り現場での作業が容易に行えて施工性に優れるという効果がある。
【００３３】
本発明に係る段床構造によれば、基礎面部の前後方向に、上記何れかに記載の段床ユニット構造の段床を構築し、さらにこの横に隣接して段床ユニット構造の段床を順次構築した構成としたから、作業の効率化が図れ、また組み立てが容易で施工性に優れ、維持管理も容易であるという効果がある。
【図面の簡単な説明】
【００３４】
【図１】第一の実施の形態に係り、段床ユニット構造（段床構造）の要部を示す図である。
【図２】支持脚の受け具に設ける弾性受材を示す図である。
【図３】受梁材の保持具を示す図であり、（ａ）は側面を、（ｂ）は正面及び平面を示す図である。
【図４】蹴込み材を固定する束材を示す図であり、（ａ）は正面を、（ｂ）は側面を示す。
【図５】第二蹴込み材を固定する第二束材を示す図であり、（ａ）は正面を、（ｂ）は側面を示す。
【図６】（ａ）は蹴込み材の側面を、（ｂ）は第二蹴込み材の側面を示す図である。
【図７】実施の形態に係り、段床ユニット構造（段床構造）の前部寄りの箇所を示す図である。
【図８】第一の実施の形態に係り、段床ユニット構造（段床構造）の最前部を示す図である。
【図９】第一の実施の形態に係り、段床ユニット構造（段床構造）の正面の一部を示す図である。
【図１０】第一の実施の形態に係り、段床ユニット構造（段床構造）の平面の一部を示す図である。
【図１１】第一の実施の形態に係り、段床ユニット構造（段床構造）の側面を示す図である。
【図１２】第二の実施の形態に係り、上下に分割された蹴込み材（ａ）、（ｂ）を示す図である。
【図１３】支持脚の受け具に設ける他の弾性受材を示す図である。
【図１４】蹴込み材を固定する他の束材を示す図であり、（ａ）は側面を、（ｂ）は正面を示す。
【図１５】束材を受梁材に固定する固定材を示す図である。
【図１６】第二の実施の形態に係り、段床ユニット構造（段床構造）の要部を示す図である。
【図１７】第二の実施の形態に係り、段床ユニット構造（段床構造）の要部を示す他の図である。
【図１８】支持部材を用いた段床構造の一部を示す図である。
【図１９】支持部材を用いた段床構造の一部を示す他の図である。
【図２０】第二の実施の形態に係り、段床ユニット構造（段床構造）の最前部を示す図である。
【図２１】従来例に係る段床構造を示す図である。
【発明を実施するための形態】
【００３５】
以下、本発明の実施の形態を図面に基づいて説明する。
図１は、第一の実施の形態に係る段床構造（段床ユニット構造）の要部を示したものである。この段床の構造は、ホール、劇場、映画館、競技場、教室、広場、その他公共の施設等において、客席、座席等を設けることができる段床として採用が可能である。
また、この構造の段床に関しては、工場で各部材、部品等を生産、加工し、現場ではこれらを組み合わせ、階段状の段床を組み立て構築するものであり、部材及び形態等のユニット化が可能である。また、基礎面部に段床を施工する場合、標準型となる段床ユニット構造の段床を構築し、これに他の段床ユニット構造の段床を順次隣接させ、全体の段床構造を構築する。
【００３６】
上記段床（ユニット）構造に用いる部材は、基礎面部２に配置される支持脚４及び保持具５、受梁材６及び第二受梁材７、踏み面１３の下地を形成する蹴込み材１０及び第二蹴込み材１１、蹴込み材を固定する束材８及び第二束材９、並びに根太材１２等、が用いられる。上記部材は、全て鋼製（材質を明示した場合を除く）からなる。
また段床（ユニット）構造の仕上げ用として、踏み面１３を形成する踏み板１４、蹴込みの箇所に配置される蹴込み板１５、及びこれら板材の表面に布設する表面材１６等を用いる。踏み板１４及び蹴込み板１５等の板材は、合板或いはパーチクルボード製、また表面材１６は、シート状の弾性板材（合成樹脂或いはゴム製等）からなる。
【００３７】
図１等に示すように、上記支持脚４は、基礎面部２に固定される台座２０、台座に立設される支持台２２、支持台２２の上部に固定されるボルト支持具２４、調整ボルト２６、調整ボルトの上部に取付けられる受け具２８、ナット３０、ワッシャ３１及び弾性受材３２を有する。支持脚４は高さ調整が可能であるが、ここでは使用する位置によって高さが異なる為、使用位置に応じて、支持台２２の丈の異なる支持脚４をそれぞれ用いる。
【００３８】
上記ボルト支持具２４は、支持台２２に固定される取付け部３４の上部に断面ロ字状のボルト固定部３５が形成され、ボルト固定部３５は中央部に調整ボルト２６が挿通する孔部３６が設けられている。
受け具２８は、左右の側部３８，３８と底部４０からなる断面Ｕ字状であり、この底部４０の下面部には固定ナット４１が固着（溶着）されている。
また、受け具２８の両側部３８，３８の上部近傍（孔部が開設）には、両側部３８，３８を挟持するための締めボルト４２（ナット４３）が取り付けられている。
【００３９】
図２に示すように、上記弾性受材３２はゴム製で、基体部４４と、基体部の両側にそれぞれ固着された板状の側部４５，４５からなり、基体部４４の上部には後部から前部に向け下方に傾斜する斜面部４６が形成されている。この斜面部４６の傾斜角度は、この斜面部４６に載置される受梁材６の傾斜角度と対応（一致）させている。
弾性受材３２は、受け具２８の底部４０に配置され、接着剤等で底部４０に固定されている。
【００４０】
上記調整ボルト２６は、全体に螺子が刻設されており、下部側はボルト支持具２４の上部の上下側にそれぞれ螺着されたナット３０（及びワッシャ３１）により螺合されている。
また、調整ボルト２６の上端部は受け具２８の固定ナット４１と螺合し、併せてナット３０（及びワッシャ３１）を用いて受け具２８を固定している。
支持脚４の高さ調整は、調整ボルト２６とボルト支持具２４との間で行い、微調整等は調整ボルト２６と受け具２８との間でも行える。
【００４１】
図３に示すように、上記保持具５は、底部４８及び左右の側部５０，５０からなる断面Ｕ字形状をなし、Ｕ字状の溝部４９を有する金具である。保持具５の底部４８には２か所に孔部５２が設けられ、各側部５０にはそれぞれ上側に４か所孔部５４が設けられ、また下側にも４か所に孔部５５が設けられている。
【００４２】
上記受梁材６は図１及び図９等に示すように、鋼板を屈曲成形したものであり、底板部５６、左右の側板部５８，５８、これら側板部の上部からそれぞれ内側に屈曲形成された上板片部６０，６０からなり、両上板片部同士の間には開口部６１が形成された断面Ｃ字状の長尺材である。受梁材６は、支持脚４間に傾斜状に架設され、段床の下地の基礎を形成する。
上記第二受梁材７は図７，８等に示すように、形状及び材質は受梁材６と同様であり、底板部５６、左右の側板部５８，５８、上板片部６０，６０からなり、上部に開口部６１が形成された断面Ｃ字状の長尺材（但し、受梁材６より短尺）である。第二受梁材７は、保持具５から前方に延設され、段床の一段目の下地を形成する。
【００４３】
上記束材８は図４に示すように、断面長方形の短尺状の角鋼等からなるパイプ部６２の上端の左右部には、それぞれＬ状の上部フランジ片６４，６４の各基板部６３が固着（溶着）され、またパイプ部６２の下寄りの左右部には、それぞれＬ状の下部フランジ片６６，６６が傾斜した状態で固着（溶着）されている。
束材８のパイプ部６２の上端部は、上部フランジ片６４，６４のフランジ面部６５，６５の上面部と同一の高さに形成されている。また、下部フランジ片６６，６６のフランジ面部６７，６７には、それぞれネジ用の孔部６８が２か所設けられている。
下部フランジ片６６，６６（フランジ面部６５，６５）の傾斜角度は、受梁材６の傾斜角度と同様である。束材８は、斜面状の受梁材６の上部に鉛直に立設固定される。
【００４４】
上記第二束材９は図５に示すように、断面長方形の短尺状の角鋼等からなるパイプ部７０の上端の左右部には、それぞれＬ状の上部フランジ片７２，７２の各基板部７１が固着（溶着）され、またパイプ部７０の下寄りの後部には、Ｌ状の下部フランジ片７４が固着（溶着）されている。
第二束材９のパイプ部７０の上端部は、上部フランジ片７２，７２のフランジ面部７３，７３の上面部と同一の高さに形成されている。また、下部フランジ片７４のフランジ面部７５には、ネジ用の孔部７６が設けられている。第二束材９は、水平状の第二受梁材７に鉛直に立設固定される。
【００４５】
上記蹴込み材１０は図６（ａ）に示すように、長方形状の鋼板を屈曲成形して得たものであり、平坦な水平状の上板部７８、この上板部７８の前部から下方に鋭角状（８０度〜８５度）に屈曲形成された蹴込み板部８０、及びこの蹴込み板部８０の下部から前方に向けて屈曲形成された平坦な水平状の下板部８２を有する、断面Ｚ字状の部材である。
また、蹴込み材１０の上板部７８の後端には下向きの鉤片部７９が形成され、下板部８２の前端には下向きの支持片部８４が形成されている。蹴込み材１０は、受梁材６の上部に取り付けられ、段床の各段の踏み面の下地を形成する。
なお、蹴込み材１０の上板部７８と蹴込み板部８０とがなす角度（蹴込み板部８０と下板部８２とがなす角度も同様）は、上記鋭角状以外に直角（９０度）とする形態も採用することができる。下記第二蹴込み材１１についても同様である。
【００４６】
上記第二蹴込み材１１は図６（ｂ）に示すように、長方形状の鋼板を屈曲成形して得たものであり、平坦な水平状の上板部８６、この上板部８６の前部から下方に鋭角状（８０度〜８５度）に屈曲形成された蹴込み板部８８、及びこの蹴込み板部８８の下部から後方に向けて屈曲形成された平坦な水平状の下板部９０を有する、断面コ字状の部材である。
また、第二蹴込み材１１の上板部８６の後端には下向きの鉤片部８７が形成されている。第二蹴込み材１１は、第二受梁材７の先端上部に取り付けられ、段床の第一段（最下段）の踏み面の下地を形成する。
上記根太材１２は図９等に示すように、上部９２、側部９４，９４、及び左右にはフランジ部９６，９６が形成された、断面ハット状の長尺状の鋼材からなる。
【００４７】
次に、ホール等の建物の基礎面部上に、上記段床ユニット構造、段床構造の段床を施工する方法について説明する。
この段床は、基礎面部２として床のスラブ面３上に直接施工する方式、或いはスラブ面３上に配置された基礎ボード９９の上面に施工する方式があるが、ここでは後者の方式について説明する。基礎面部２として、基礎ボード９９の上面に施工した場合、支持脚の配置、再配置等が簡単であり、段床の構築及びリニューアル等が容易に行える。
また、施工する段床の傾斜角度及び踏み面１３の広さに応じ、必要なサイズの支持脚、受梁材、束材及び蹴込み材等を準備し、これらを組み合わせて使用する。
【００４８】
先ず、スラブ面３の上部に、角鋼（断面Ｃ字、又はロ字）又は角材（木製）からなる基礎材９８を所定の間隔をおいて配置し、これら基礎材９８の上部に合板又はパーチクルボード等からなる基礎ボード９９を敷設する。そして、この基礎ボード９９上に段床を施工する。
作業は、基礎面部２の壁際等から始める。そして、基礎面部２上に、蹴込み材１０（第二蹴込み材１１）の幅を床幅とした段床ユニット構造の段床を構築し、同様な段床ユニット構造の段床を横方向に順次並設し、段床構造の段床を仕上げる。
【００４９】
ここでは、例えば、蹴込み材１０及び第二蹴込み材１１の幅は９００ｍｍ、段床の踏み面１３の前後長は８５０ｍｍ、蹴上げ高さは１５０ｍｍ程度とし、段床の傾斜角度として受梁材６の傾斜は、水平から１１度傾斜する角度としている。踏み面１３の幅は、踏み板１４の幅でもあるが、この幅は蹴込み材１０及び第二蹴込み材１１の幅と同じか、少し広く構成される。
【００５０】
段床ユニット構造の幅は、蹴込み材１０（第二蹴込み材１１）の幅により決められ、ここでは１０００ｍｍ以内としているが、これは各部材の成形、調達、組立て性等からすれば、１５００ｍｍ以内、或いは２０００ｍｍ以内が適当である。また、段床ユニット構造の前後長は、ホール等の大きさ、形状等により決められる。
【００５１】
また、ここでは基礎面部２に、前後方向に一定の間隔（８５０ｍｍ）をおいて支持脚４を１列状に設置し、この列の横側に一定の間隔（６００ｍｍ）をおいて同様に支持脚４を１列状に配置し、計２列配置する。そして、各列の支持脚４の上部にそれぞれ受梁材６を架設し、これら２列の受梁材６間にわたって蹴込み材１０を配置する。
支持脚４（受梁材６）の列の数は、他に蹴込み材１０の幅等により３列、或いはこれ以上の複数の列にわたって配置しても良い。第二受梁材７の列（数）に関しても同様である。
前後の支持脚４間の間隔は、ここでは段床の踏み面１３の前後長と同様としている。
【００５２】
前後に配置する各支持脚４は、それぞれの位置に応じた高さの支持脚４を用い、また必要に応じて各支持脚４の高さ調整を行う。そして、支持脚４は、前から後方に向けて次第に高さの高い支持脚４を列状（縦）に配置する。各支持脚４は、それぞれ台座２０を基礎面部２に固定する。台座２０は、接着剤或いはネジ、ボルト等の止着具を用いて基礎面部２（基礎材９８等）に固定する。
【００５３】
図７に示すように、最前の各支持脚４の前方には、それぞれ保持具５を配置する。この保持具５は、最前の支持脚４よりもさらに低い位置で受梁材６の端部を保持する。保持具５は、上部が開口（Ｕ字状）した状態で基礎面部２上に固定する。この際、保持具５の底部４８と基礎面部２との間に、弾性材（ゴム等）からなる弾性板１０２を介在させる。弾性板１０２は、部材間のキシミ音の防止、弾性の確保等に用いる。
そして、底部４８の孔部５２からネジ１０４を用いて、底部４８を基礎面部２下部の基礎材９８に螺着し保持具５を固定する。基礎材９８は、保持具５の下方に位置するよう配置しておく。
ここでネジ１０４は、セルフドリル可能なセルフドリリングネジを用いる。以下のネジ１０５等も同様である。
【００５４】
さらに、保持具５から前方に向けて第二受梁材７を配置する。この第二受梁材７の長さは、前後の支持脚４間の間隔と同程度である。第二受梁材７は、その一端部を保持具５の溝部４９の底部４８まで嵌め、ネジ１０５を孔部５５（４×２か所）から第二受梁材７の側板部５８にねじ込み、保持具５に固定する。
なお、ここでは受梁材６の最前部を保持具５で保持しているが、これは他に高さの低い支持脚を用いることとしても何ら差支えはない。また、第二受梁材等を用いた第一段の段床は、必要に応じて構築するようにしてもよい。
【００５５】
次に、前後に２列配置された各支持脚４及び保持具５間に、受梁材６を傾斜状に架設する。受梁材６は、支持脚４の受け具２８に嵌め、弾性受材３２の上部の斜面部４６に載置する。このとき、受梁材６の底板部５６は弾性受材３２の斜面部４６と合致し（両者の傾斜角度は一致）、支持が安定する。また、受梁材６の下端部近傍を保持具５の溝部４９内に嵌め込み、同下端部を先に保持具５に固定した第二受梁材７の上部に載せる状態で配置する。
【００５６】
上記支持脚４の受け具２８に嵌めた受梁材６については、締めボルト４２を受け具２８の両側部３８，３８の各孔部に挿通させ、ナット４３で締めて受け具２８内に固定する。
この際、必要により、支持脚４の高さを再度調整し上下の緩み等がないようにする。支持脚４の高さ調整については、調整ボルト２６とボルト支持具２４との間で行い、微調整は調整ボルト２６と受け具２８との間でも行うことができる。
また、保持具５の溝部４９に嵌めた受梁材６についても、その先端部を保持具５に固定する。このとき、ネジ１０５を孔部５４（４×２か所）から受梁材６の側板部５８にねじ込み、保持具５に固定する。
【００５７】
続いて、２列平行に配置された左右の受梁材６間に蹴込み材１０を配置し、第二受梁材７間に第二蹴込み材１１を配置する。これら蹴込み材は、段床の各段の踏み面１３の前後に配置することになる。ここでは、蹴込み材１０を、受梁材６の上部であって、各支持脚４を配置した位置の前側近傍に、また保持具５を配置した位置の近傍にそれぞれ設置する。また、第二蹴込み材１１を第二受梁材７の前端部近傍の上部に設置する。
【００５８】
各蹴込み材は、受梁材に立設した束材に取り付けて設置する。束材は、段床の各段に対応する間隔（踏み面の前後間隔）をおいて配置する。
ここでは束材８は、上記蹴込み材１０を取り付ける位置の後側に配置し、受梁材６の上部に一定間隔（踏み面の前後間隔に相当）をおいて設置する。束材８は、パイプ部６２の下部を受梁材６の開口部６１から内部に突入させ、その下端部を受梁材６の底板部５６に当て、この状態で、左右の各下部フランジ片６６，６６のフランジ面部６７，６７をそれぞれ受梁材６の上板片部６０，６０の上部に配置する。
【００５９】
そして、束材８の各フランジ面部６７，６７を、各孔部６８を利用しネジ１０５を用いて上板片部６０に螺設し、束材８を受梁材６に固定する。束材８を受梁材６に固定した状態では、下部フランジ片６６，６６（フランジ面部６７，６７）の傾斜により、束材８（パイプ部６２）は垂直（鉛直）に立設される。他の束材８についても同様にして両受梁材６に立設固定する。左右の受梁材６に立設する各束材８は、それぞれ同一高さの位置に設置され、両束材８間に架設される蹴込み材１０を水平に保つようにする
【００６０】
続いて、両受梁材６に立設した束材８間にわたって蹴込み材１０を架設し固定する。蹴込み材１０は、鉤片部７９を束材８の後部に当てた状態で、上板部７８を束材８の上端部に設けた上部フランジ片６４，６４のフランジ面部６５，６５の上面に載置する。そして、ネジ１０５を用いて、蹴込み材１０の上板部７８を束材８の上部フランジ片６４，６４（フランジ面部６５，６５）に螺設し、蹴込み材１０を束材８に固定する。
【００６１】
この状態で、蹴込み材１０の上板部７８は水平に保たれ、また蹴込み板部８０の下端部（下板部８２の後端部）は、束材８の前側下部と受梁材６とが交差する位置に突合した状態となる。また、蹴込み材１０の下板部８２に設けた支持片部８４の下端部は、受梁材６の上面部に当接し下板部８２を水平に保持する。他の段についても、同様にして束材８に蹴込み材１０を取り付け固定する。これにより、両受梁材６の上部（各段毎）に束材８を介して蹴込み材１０が固定されることになる。
こうして、受梁材６の上部に取り付けられ、各段（踏み面）の前後位置に配置された各蹴込み材１０により、それぞれ、前側の蹴込み材１０の上板部７８の上面と、後側（直後）の蹴込み材１０の下板部８２の上面間に踏み面１３が形成される。
【００６２】
次に、図８に示すように、平行に配置された両第二受梁材７の前部に第二束材９を立設し、これに第二蹴込み材１１を取り付ける。第二束材９は、パイプ部７０の下部を第二受梁材７の開口部６１から内部に突入させ、その下端部を第二受梁材７の底板部５６に当て、この状態で、後部の下部フランジ片７４のフランジ面部７５を第二受梁材７の上板片部６０，６０の上面に配置する。そして、フランジ面部７５の各孔部７６を利用し、ネジ１０５を用いて上板片部６０に螺着し、第二束材９を第二受梁材７に垂直（鉛直）に立設固定する。
【００６３】
続いて、両第二受梁材７の先端に立設した第二束材９間にわたって、第二蹴込み材１１を架設し固定する。第二蹴込み材１１は、その下板部９０を第二受梁材７の底板部５６の下部に接する状態で押し込み、蹴込み板部８８を第二受梁材７の先端部の前に位置させ、併せて鉤片部８７を第二束材９の後部に当てた状態で、上板部８６を第二束材９の上端部に設けた上部フランジ片７２，７２のフランジ面部７３，７３の上面に載置する。そして、ネジ１０５を用いて、第二蹴込み材１１の上板部８６を第二束材９の上部フランジ片７２，７２（フランジ面部７３，７３）に螺設し、第二蹴込み材１１を第二束材９に固定する。
【００６４】
また、第二蹴込み材１１の下板部９０については、上部に第二受梁材７を載せた状態で、この下板部９０と基礎面部２との間に弾性板１０２を介在させ、ネジ１０４を用いて、第二受梁材７の下板部９０を基礎面部２下部の基礎材９８に螺設する。これで、第二蹴込み材１１及び第二受梁材７（先部）が基礎面部２に固定される。
これにより、最前側の第二蹴込み材１１の上板部８６の上面と、後側（直後）の蹴込み材１０の下板部８２の上面間に踏み面１３が形成される。
【００６５】
このようにして、段床の構造に関し、支持脚、保持具、受梁材、束材、及び蹴込み材等が組み立てられ、段床の骨組みとして下地が構成される。
この実施の形態では、上記ユニット構造の段床を所定の幅で前後方向に構築し、さらに同様の段床を横方向に増設することで、全体の段床構造を構築する。
従来、各段毎に２本程度の支持脚を使用していたところ、ここでは、蹴込み材の配置位置に対応させて支持脚を設置（各段毎に１本使用）することが可能になった。このため、この実施の形態では、支持脚の本数を減らすことができ、部品点数が削減（経済的）でき、併せて支持脚の高さ設定（レベル出し）も容易になった。
【００６６】
また、蹴込み材１０を支持固定する束材８は、支持脚４による受梁材６の支持位置の近傍に配置し、これにより束材８の負荷を支持脚４が直に受け、荷重を効果的に支持するようにしている。ここでは、束材８は支持脚４の前側近傍に配置しているが、他に束材８を支持脚４の後側近傍に配置してもよい。
また、受梁材は左右の２本（２列）で蹴込み材を支持するようにしているが、蹴込み材の幅が長い場合等には、中間部にさらに受梁材（及び支持脚）を一か所或いは複数個所配置（３列以上）してもよい。
【００６７】
さて、段床の仕上げに際し、上記踏み面１３に、踏み板１４を配置する場合、前側の蹴込み材１０の上板部７８の上面と後側の蹴込み材１０の下板部８２の上面間に直接踏み板１４を架設し固定する方法、及び同前側の上板部７８の上面と後側の下板部８２の上面間に複数根太材１２を架設固定し、これら根太材１２の上部に踏み板１４を配置し固定する方法がある。ここでは、根太材１２を介して踏み板１４を取り付ける。
【００６８】
そして、図９，１０，１１等にも示すように、段床の下地に踏み板１４等を配置して、段床の仕上げを行なう。
先ず、前後の蹴込み材間に根太材１２を配置する。根太材１２は前側の蹴込み材１０の上板部７８（又は第二蹴込み材１１の上板部８６）の上部と、その後側（直後）の蹴込み材１０の下板部８２の上部との間に架設する。ここでは、根太材１２は、蹴込み材１０（又は第二蹴込み材１１）の左右部に計４本配置する。
【００６９】
根太材１２の配置に際しては、弾性体（ゴム等）からなる弾性板１０８を介在させる。弾性板１０８は、キシミ音の防止等に用いている。
そして、前側の蹴込み材１０の上板部７８と根太材１２のフランジ部９６，９６間に弾性板１０８を配置し、ネジ１０５を用いて根太材１２のフランジ部９６，９６を上板部７８に固定する。後側の蹴込み材１０の下板部８２と根太材１２のフランジ部９６，９６間にも同様に弾性板１０８を配置し、ネジ１０５を用いてフランジ部９６，９６を下板部８２に固定する。
同様にして、前側の蹴込み材１０の上板部７８と、その後側の蹴込み材１０の下板部８２間に根太材１２を４本に架設し固定する。
【００７０】
また、前端の第二蹴込み材１１の上板部８６の上部と後側（直後）の蹴込み材１０の下板部８２の上部との間にも、同様にして根太材１２を取り付ける。
このように、前後の蹴込み材の各部（上板部、下板部）に根太材１２を固定する場合、根太材１２の固定箇所、及び根太材１２の使用本数等は、踏み面の大きさ等により適宜に決められレイアウトは自由に行える。
【００７１】
続いて、各段の踏み面１３に取り付けた各根太材１２の上部に踏み板１４を敷設し、また蹴込みの箇所には蹴込み板１５を取り付ける。
踏み板１４は、矩形状であり、ここでは２枚重ねて使用する。下側の踏み板１４の前端部は、蹴込み材１０の上板部７８の前端部と略同じ位置に配置し、上側の踏み板１４の前端部は、下側の踏み板１４よりも少し前方に突出させて配置する。踏み板１４は、２枚重ねた状態で、上からネジを用いて下方の各根太材１２（４本）の上部に螺設する。
なお、踏み板の強度が十分確保できる場合等では、踏み板１４を直接踏み面１３に取り付けることができる。この場合、踏み板１４を直接、前側の蹴込み材１０の上板部７８の上部と後側の蹴込み材１０の下板部８２の上部との間に架設配置し、踏み板の前後部をそれぞれ各蹴込み材（上板部、下板部）にネジ等で固定する。
【００７２】
蹴込み板１５は、横に長い長方形状であるが、これについても２枚組み合わせて使用する。内側の蹴込み板１５の上下寸法は、下段側の根太材１２の上部から上段側の踏み板１４（上側）の下面までの長さとし、同上下間に蹴込み板１５を配置する。また、外側の蹴込み板１５の上下寸法は、下段側の根太材１２の上部に配置した踏み板１４（下側）の上部から上段側の踏み板１４（上側）の上面までの長さとし、同上下間に蹴込み板１５を配置する。
【００７３】
上記２枚の蹴込み板１５の配置により、下側の踏み板１４の後端部は、内側の蹴込み板１５の前面に当接する位置、上側の踏み板１４の後端部は、外側の蹴込み板１５の前面に当接する位置に配置できるように構成する。前端の第二蹴込み材１１に取り付ける蹴込み板１５については、その下端部は現場の状況に応じて適宜設定する。
上記蹴込み板１５は、２枚組み合わせた状態で、前面からネジを用いて蹴込み材１０の蹴込み板部８０に螺設する。第二蹴込み材１１の蹴込み板部８８についても、同様にして蹴込み板１５を取り付ける。
【００７４】
また、各段の踏み板１４（上側）の前端部（段鼻）には、スリップ防止及び端部保護用の保護具１１０を取り付ける。この保護具は、断面Ｌ字状（横面部及び縦面部）の長尺材であり、横面部の上部には弾性材（ゴム、合成樹脂等）からなる滑り止め材が取り付けられたものもある。保護具１１０は、ビス等を用いて踏み板に固定する。
さらに、踏み板１４及び蹴込み板１５の表面に、シート状の表面材１６を接着剤等により布設する。
【００７５】
以上でホールの基礎面部２の前後方向に、上記段床構造の１ユニット分の床構造（段床ユニット構造）の段床が構築される。同様にして、この段床ユニット構造に隣接して新たな段床ユニット構造の段床を順次連続的に構築し、ホール内の基礎面部２の全体に段床を完成させる。
そして、段床構造の各踏み面には、机、椅子、客席用の椅子等の設置が行われる。
各段床ユニット構造の段床の幅は、材料等から基本的には同一とするのが好ましいが、現場の状況に応じて、異なる幅の段床ユニット構造の段床を並べて構築しても良く、また各段床ユニット構造の前後長は基礎面部の形状等により異なる。
【００７６】
上記段床構造は、ユニット単位（段床ユニット構造）に構築が可能であるが、施工の都合により、他の（段床ユニット構造）段床と同時並行的に作業を進めてもよく、また踏込板、蹴込み板、仕上げ材等の敷設は、複数の段床ユニット構造の段床と一体的（両者にわたって敷設）に行ってもよい。
【００７７】
従って、上記第一の実施の形態によれば、各部材を工場で生産し、現場ではこれら部材を組み立てることで段床が構成できることから生産性及び経済性に優れ、また段床のユニット化により作業の効率化が図れる。また上記段床によれば、個々の部材をコンパクト化し、現場では主にネジを用いて、各部材を組み立てる形態であることから、作業が迅速且つ容易に行えて施工性にも優れる。
また、上記段床は、ユニット化によりメンテナンス等がユニット単位に行えて作業性がよく、またリニューアル等、維持管理も容易に行える。全体の段床構造の一部を他の構造（例えば出入口等）で構成する場合であっても、その前後左右を適宜な段床ユニット構造の段床を形成することができ、ホールの形態等に対して自由度が高く柔軟に適応できる。
【００７８】
次に、第二の実施の形態について説明する。なお、上記第一の実施の形態で用いた部材等と同一のものは、同じ符号を用いてここでの詳細な説明は省略する。
図１２（ａ）、（ｂ）は、第二の実施の形態に係る蹴込み材１５０，１５１を示したものである。
上記蹴込み材１５０，１５１は、蹴込み板部の部位が上下に分割された形状（一組）であり、上部側が上部蹴込み材１５２，１５３、下部側が下部蹴込み材１５４，１５５からなる。これら何れの蹴込み材も、長方形状の鋼板を屈曲成形して得たものである。
【００７９】
図１２（ａ）に示す蹴込み材１５０の上部蹴込み材１５２は、平坦な水平状の上板部１５６、この上板部１５６の前部から下方に鋭角状（例えば８０度〜８５度）に屈曲形成された上部蹴込み板部１５８を有する。また、上板部１５６の後端には下向きの鉤片部１６０が形成されており、上部蹴込み板部１５８の下部近傍にはネジ孔１６２が横方向に複数箇所設けられている。
下部蹴込み材１５４は、上部蹴込み板部１５８と同じ傾斜角度の形状で、かつ上部蹴込み板部１５８と平行な状態（例えば両蹴込み板部１５８，１６４の板面同士が平行、或いは両蹴込み板部同士が交差しない状態等）に配置される下部蹴込み板部１６４、この下部蹴込み板部１６４の下部から前方に向けて屈曲形成された平坦な水平状の下板部１６６を有する。また、下板部１６６の前端には下向きの支持片部１６８が形成されている。
【００８０】
上部蹴込み材１５２の上部蹴込み板部１５８と、下部蹴込み材１５４の下部蹴込み板部１６４とは、平行状態であり、各表面部同士を重ねた状態では、全体が断面Ｚ字状の部材となる。
通常、上部蹴込み材１５２と下部蹴込み材１５４とは、各蹴込み板部の表面部同士を重ねた形態で使用する。このため、上部蹴込み材１５２と下部蹴込み材１５４とは、重合の程度により、上下の間隔、即ち蹴込みの高さに対して自由に汎用的に適用でき、部材形状の統一化が図れる。
【００８１】
図１２（ｂ）に示す蹴込み材１５１は、他の形態に係る上部蹴込み材１５３、及び下部蹴込み材１５５からなる。上部蹴込み材１５３は、平坦な水平状の上板部１７０、この上板部１７０の前部から下方に直角（９０度）に屈曲形成された上部蹴込み板部１７２を有する。また、上板部１７０の後端には下向きの鉤片部１７３が形成されている。
また下部蹴込み材１５５は、上部蹴込み板部１７２に対し同一延長面上に配置される下部蹴込み板部１７４、この下部蹴込み板部１７４の下部から前方に向けて屈曲形成された平坦な水平状の下板部１７６を有する。
【００８２】
また、下板部１７６の前端には下向きの支持片部１７８が形成され、下部蹴込み板部１７４の下部側にはネジ孔１７５が上下に各複数箇所（例えば４箇所）設けられている。
通常、上部蹴込み材１５３と下部蹴込み材１５５との各蹴込み板部同士は、所定の間隔離した形態で使用する。このため、上部蹴込み材１５３と下部蹴込み材１５５との上下の間隔を離し、その空けた程度により、蹴込みの高さに対して自由に汎用的に適用でき、部材形状の統一化が図れる。
【００８３】
このように、蹴込み材を、上部蹴込み材と下部蹴込み材とに分割（一組）したことにより、蹴上の高さ如何によらず、何れの高さの蹴込みに対しても適用が可能であり、一組の蹴込み材のみで、様々な高さの蹴込みの施工が可能である。また、上部蹴込み材と下部蹴込み材との間を空けた態様の場合、蹴込み板部の材料が削減でき、経済効果もある。
また、上記一組の蹴込み材１５０には、上板部（又は下板部）と上部（又は下部）蹴込み板部とがなす角度が鋭角又は直角の形状があり、現場の状況、構造等により使い分けることができる。上記一組の蹴込み材１５０，１５１は、上記一体の蹴込み材１０と同様、受梁材６の上部に取り付けられ、段床の各段の踏み面の下地を形成する。
また、上記一組の蹴込み材１５０，１５１の基本的な施工形態、及び施工方法は、一体の蹴込み材１０と同様である。
【００８４】
図１３は、他の形態に係る弾性受材１８０を示したものである。この弾性受材１８０はゴム製で、基体部１８２と、基体部の両側からそれぞれ立設された板状の側部１８４，１８４等からなる。また、基体部１８２の上部には断面が円弧状（凸状）の円弧面部１８６が形成され、この円弧面部１８６は、弧の弦が後部から前部に向け下方に傾斜（傾斜角度は受梁材の平均的角度としても良い）する形状である。
弾性受材１８０は、上記支持脚４の受け具２８の底部４０に配置され、接着剤等で底部４０に固定する。このとき、弾性受材１８０の下部両側に形成されＬ状に窪んだ係合部１８８が、上記受け具２８の下部の両側部間に形成された立上片と係合し、弾性受材１８０に加わる荷重（傾斜方向）を支える。
この弾性受材１８０は、円弧面部１８６の採用により、この上部に載置する受梁材６等の傾斜角度（円弧面部に対する種々の接線方向に対応）の如何に係わらず適用が可能であり、汎用性に富むものである。
【００８５】
図１４（ａ）、（ｂ）は、束材８の下部近傍に蝶番１９０を取り付けた状態を示したものである。この蝶番１９０は、両板片１９２，１９２及び板片を開閉させる軸部１９４からなり、各板片１９２には、それぞれネジ孔１９６（２箇所）が形成されている。
この蝶番１９０は、一方の板片１９２を受梁材６の上部に、また他方の板片１９２を束材８の側部にそれぞれ取り付け、これにより受梁材６に立設される束材８を、受梁材６の傾斜角度の如何によらず、常に鉛直の形態に維持することが可能となる。蝶番１９０は、一方の板片１９２を予め束材８のパイプ部６２に溶接等により固定しておくか、或いは現場等でネジを用いて固定することとしてもよい。
図１５は、固定材２００を示したもので、全体が長方形状の鋼板からなる。この固定材２００には、長辺側の下寄りの両側部にはスリット状の係止凹部２０２，２０２が形成され、また中央部の上部寄りの２か所には、それぞれネジ孔２０４が設けられている。
この固定材２００により、蝶番１９０を用いた束材８の受梁材６に対する立設が補強される。
【００８６】
図１６は、第二の実施の形態に係る段床ユニット構造（段床構造）の要部を示したものである。なお、ここでの段床ユニット構造に係り、採用場所、全体的形態、及び施工方法等は第一の実施の形態と略同様であり、同一の部材等については同一の符号を用いて、ここでの詳細な説明は省略する。
この段床ユニット構造では、踏み面１３の下地を形成する部材として、特に上記上下に分割された蹴込み材１５０、及び蝶番１９０等を用いる。
【００８７】
ここでは束材８は、パイプ部６２の下部を受梁材６の開口部６１から内部に突入させ、その下端部を受梁材６の底板部５６に当てるか、或いはこの近傍に配置し、束材８を立てる。
そして、束材８の後側の下部と受梁材６の上部とが交差する箇所に蝶番１９０を配置し、この蝶番１９０の板片１９２を、ネジ１０５を用いて受梁材６の上板片部６０，６０に固定する。また、他の板片１９２を予め束材８に固定していない場合は、この板片１９２を、同様にネジ１０５を用いて束材８のパイプ部６２の側面部に固定する。
これで、束材８は受梁材６に対して前後方向に回動可能に保持される。このとき、受梁材６に対する束材８の角度調整を行い、束材８を正確に立設（鉛直）する（蝶番１９０の摩擦力等利用）。
【００８８】
また、束材８の前側の下部と受梁材６の上部とが交差する箇所には、固定材２００を用いる。この固定材２００は、下部を受梁材６の開口部６１から差し込み、左右の係止凹部２０２，２０２をそれぞれ内向き突起状に形成された各上板片部６０，６０に嵌め込む。そして、束材８を鉛直に保持し、固定材２００のネジ孔２０４からネジ１０５を螺入し、固定材２００の上部を束材８のパイプ部６２に固定する。この状態で、束材８の前後回動は固定され、傾斜状の受梁材６の上部に鉛直に立設される。
なお、束材８を蝶番１９０で仮に立設し、この束材８の上部への蹴込み材、踏み板等を施工した状態では、束材８は蝶番１９０のみでも立設状態を維持可能である。つまり、束材８に加わる荷重は縦方向が主であり、また仮に横方向の力が加わっても踏み板等でこれが保持され束材８の立設状態は維持される。このため、固定材２００は、束材８の立設固定を補強するため補助的に用いる。この場合、蝶番１９０としては開閉が固いものを用いるのが効果的である。
このように蝶番１９０を用いることで、施工場所により受梁材６の傾斜角度の変更に対して自在に対処でき、常に束材８を鉛直に立設可能となり汎用性に富む。
【００８９】
上記蹴込み材１５０の取り付けに際しては、上部蹴込み材１５２及び下部蹴込み材１５４を、それぞれ２列平行に配置された左右の受梁材６間に配置する。蹴込み材１５０は、受梁材６の上部であって、各支持脚４を配置した位置の前側近傍に設置する。
そして、両受梁材６にそれぞれ立設した束材８間にわたって蹴込み材１５０を架設し固定する。上部蹴込み材１５２は、鉤片部１６０を束材８の上部後側に当てた状態で、上板部１５６を束材８の上端部に設けた上部フランジ片６４，６４のフランジ面部６５，６５の上面に載置する。そして、ネジ１０５を用いて、上板部１５６を束材８の上部フランジ片６４，６４（フランジ面部６５，６５）に螺設し、上部蹴込み材１５２を束材８に固定する。
【００９０】
この状態で、上部蹴込み材１５２の上板部１５６は水平に保たれ、また上部蹴込み板部１５８の下端部は、束材８の前側下部と受梁材６とが交差する位置の少し上方に位置する。
下部蹴込み材１５４については、下部蹴込み板部１６４の下端部を束材８と受梁材６との交差部に配置し、またこの下部蹴込み板部１６４を、上部蹴込み材１５２の上部蹴込み板部１５８の内側に配し、両者の一部が重なる状態に配置する。また、下板部１６６の後端部、及び支持片部１６８の下端部を、それぞれ受梁材６の上面部に当接させ下板部１６６を水平に保持する。
【００９１】
そして、上部蹴込み板部１５８の下部側に設けたネジ孔１６２からネジ１０５を螺着し、上部蹴込み板部１５８及びこれと重なる下部蹴込み板部１６４の両者を束材８のパイプ部６２に固定し（間に固定材２００が介在）、上部蹴込み材１５２及び下部蹴込み材１５４の取付けを強固にする。
ここでは蹴込み材１５０は、上部蹴込み板部１５８と下部蹴込み板部１６４との両者を重ねて配置したが、他に、上部蹴込み板部１５８と下部蹴込み板部１６４とが重ならない、離れて空いた形態での使用も可能（この場合、それぞれ個別に固定）であり、この場合も、蹴込み高さの如何に係わらず汎用的に適用可能である等、同様の効果が期待できる。
【００９２】
他の段についても、同様にして束材８に蹴込み材１５０を取り付け固定する。これにより、両受梁材６の上部（各段毎）に束材８を介して蹴込み材１５０が固定されることになる。
こうして、受梁材６の上部に取り付けられ、各段（踏み面）の前後位置に配置された各蹴込み材１５０により、それぞれ、前側の蹴込み材１５０の上板部１５６の上面と、後側（直後）の蹴込み材１５０の下板部１６６の上面間に踏み面１３が形成される。
【００９３】
図１７は、第二の実施の形態に係り、蹴込み板部が直角に屈曲形成された蹴込み材１５１を用いた段床ユニット構造（段床構造）の要部を示したものであり、同構造の採用場所、全体的形態、及び施工方法等は第一の実施の形態と略同様であり、同一の部材等については同一の符号を用いて、ここでの詳細な説明は省略する。
この段床ユニット構造では、踏み面１３の下地を形成する部材として、特に上記上下に分割された蹴込み材１５１、蝶番１９０等を用いる。
【００９４】
ここで、蝶番１９０等を用いた束材８の立設固定構造は上記蹴込み材１５０を用いた形態と同様である。
蹴込み材１５１の取り付けに際しては、上部蹴込み材１５３及び下部蹴込み材１５５を、それぞれ２列平行に配置された左右の受梁材６間に配置する。そして、両受梁材６にそれぞれ立設した束材８間にわたって蹴込み材１５１を架設し固定する。
上部蹴込み材１５３は、鉤片部１７３を束材８の上部後側に、上部蹴込み板部１７２を同前側からそれぞれ嵌め入れ、上板部１７０を束材８の上端部に設けた上部フランジ片６４，６４のフランジ面部６５，６５の上面に載置する。そして、ネジ１０５を用いて、上板部１７０を束材８の上部フランジ片６４，６４（フランジ面部６５，６５）に螺設し、上部蹴込み材１５３を束材８に固定する。この状態で、上部蹴込み材１５３の上板部１７０は水平に保たれる。
【００９５】
下部蹴込み材１５５については、下部蹴込み板部１７４の下端部を束材８と受梁材６との交差部に配置し、また下部蹴込み板部１７４を、束材８のパイプ部６２の下部前側に配置された固定材２００の表面に当てた状態で配置する。また、下板部１７６の後端部、及び支持片部１７８の下端部を、それぞれ受梁材６の上面部に当接させ下板部１７６を水平に保持する。
そして、下部蹴込み材１５５の下部蹴込み板部１７４に設けたネジ孔１７５からネジ１０５を螺着し、下部蹴込み板部１７４を束材８のパイプ部６２に固定し（間に固定材２００が介在）、下部蹴込み材１５５の取付けを強固にする。
なお、上部蹴込み材１５３の上部蹴込み板部１７２を下方に延長し、この上部蹴込み板部１７２と下部蹴込み材１５５の下部蹴込み板部１７４とを重ねた形態で用いることも可能である。この場合、上部蹴込み板部１７２と下部蹴込み板部１７４との重合箇所にネジ１０５を螺着し、両者を束材８のパイプ部６２に固定し、両蹴込み材の固定を強固にする。
【００９６】
図１８は、踏み面１３の下部を支持する支持部材２１０を用いた段床構造の一部を示したものである。この支持部材２１０は、特に踏み面１３の前後間隔が長い場合（例えば１１００ｍｍ〜２０００ｍｍ）、この前後の中間部を支持し、踏み面１３の補強に効果的である。
上記支持部材２１０は、保持台具２１２、この保持台具２１２の上部に螺設され高さ調整可能な調整ボルト２１４、この調整ボルト２１４の上部に固定される受け部２１６を有する。この受け部２１６は円板状で、周囲は下向きに環状部が屈曲形成されている。
【００９７】
上記保持台具２１２は、左右の側部２１５，２１５と上板部２１６からなる断面逆Ｕ字状であり、この上板部２１６の上面部には固定ナット２１８が固着（溶着）されている。この固定ナット２１８に、調整ボルト２１４が螺着されている。
保持台具２１２の上板部２１６の下部には、弾性受材１８０が基体部１８２を上にした形態（上下逆）で取り付けられている。また、保持台具２１２の両側部２１５の下部近傍（孔部が開設）には、両側部２１５，２１５を挟持するための締めボルト４２（ナット４３）が取り付けられている。
【００９８】
支持部材２１０は、傾斜状に配置された左右の受梁材６の上部にそれぞれ保持台具２１２を嵌め、これを締めボルト４２で固定して取り付ける。この場合、保持台具２１２は内部に配置された弾性受材１８０の円弧面部１８６により、受梁材６の傾斜角度の如何に係わらず受梁材６の上部に適切に取り付けられる。
同時に、上板及び左右の側板からなる横材２２０を、左右の支持部材２１０の受け部２１６間に配置する。このとき、横材２２０は受け部２１６を覆う状態で配置し、この受け部２１６の上部に横材２２０の上板を載置する。
そして、踏み面１３の下部に配置される根太材１２に、上記受け部２１６の上部の横材２２０が当たる状態に、調整ボルト２１４の高さを調整し根太材１２を支持する。横材２２０と受け部２１６、及び横材と根太材１２とは、それぞれネジ１０５等を用いて固定する。なお、根太材１２を用いない形態では、直接踏み板１４を支持し、また横材は支持の補強、安定化など必要に応じて用いることとしても良い。
支持部材２１０により、踏み面１３下部の下地材（根太材１２、踏み板１４等）の中間部が支持され、踏み面１３を補強し荷重強度を高める。
【００９９】
図１９も、同様に、踏み面１３の下部を支持する支持部材２３０を用いた段床構造の一部を示したものである。この支持部材２３０は上記支持部材２１０と構造、用途は略同様であり、また踏み面１３の前後間隔が長い場合に効果的である。支持部材２３０は、保持台具２１２、この保持台具２１２の上部に螺設され高さ調整可能な調整ボルト２３２、この調整ボルト２３２の上部に螺着（ナット等使用）される円板状の受け部２３４を有する。
支持部材２３０は、断面ハット状の横材２３６（開口部を下向き）を、左右の支持部材２３０の受け部２３４間に配置する。このとき、横材２３６を受け部２３４の上部に載置し固定する。そして、踏み面１３の下部に配置される根太材１２に、支持部材２３０の受け部２３４の上部の横材２３６が当たる状態に、調整ボルト２３２の高さを調整する。この支持部材２３０により、踏み面１３の下地を形成する根太材１２の中間部が支持され、踏み面１３を補強し荷重強度を高める。
【０１００】
図２０は、最前部の踏み面１３の支持構造を示したものである。ここでは、束材の代りに支持材２４０を用い、また支持材２４０を基礎面部２としてスラブ面３の上部に直接設置する。
支持材２４０は、台座具２４２、この台座具２４２の上部に設けられ高さ調整可能な調整ボルト２４４、この調整ボルト２４４の上部に固定される円板状の受け部２４６を有する。上記台座具２４２は、左右の側部と上面部２４８からなる断面ハット状であり、この上面部２４８の上部には固定ナット２５０が固着（溶着）されている。この固定ナット２５０に、調整ボルト２４４が螺着されている。
【０１０１】
また、ここでは、踏み面１３の端部の下地に第三蹴込み材２５２を用いる。この第三蹴込み材２５２は、長方形の鋼板を屈曲成形したもので、上記受け部２４６の上部に載置される上板部２５４、この上板部２５４の前端部から下方向きに形成される蹴込み板部２５６を有する。また、上板部２５４の後端には下向きの鉤片部２５８が形成されている。
上板部２５４に対する蹴込み板部２５６の角度は、ここでは鋭角状（例えば８０度〜８５度）としているが、これは直角とすることもできる。
【０１０２】
施工に際し、段床の下地を構成する左右の受梁材６については、最前部の支持脚４の前方のスラブ面３に、それぞれ保持具５等を設置し受梁材６の前端部を保持する。なおこの場合、保持具５に代えて支持脚４（低床用）を用い、受梁材６の前端部近傍を支持することとしてもよい（第二受梁材７を用いない構造である為）。また、受梁材６の前端部はスラブ面３に当接させてもよい。
そして、左右の受梁材６からの前方延長線上で、且つ最前部の踏み面１３の先端部近傍の位置にそれぞれ支持材２４０を配置し、調整ボルト２４４により受け部２４６の高さを調整する。支持材２４０は、台座具２４２を、ネジ等を用いてスラブ面３に固定する。さらに、第三蹴込み材２５２を、各支持材２４０間にわたって配置する。
第三蹴込み材２５２は、上板部２５４を支持材２４０の受け部２４６の上部に載置し固定する。これで、最前部の踏み面１３の下地が形成できる。
【０１０３】
なお、上記第三蹴込み材２５２を用いないで、上記スラブ面３に立設した各支持材２４０の受け部２４６の上部と、直後の蹴込み材の下板部との間に、踏み板１４を用いた踏み面１３を形成することも可能である。この場合、左右の支持材２４０の受け部２４６の上部間に横材２２０を架設し、この上に踏み板１４を配置するようにしても良い。
また、上記支持材２４０を、最前部の踏み面１３の前後の中間部の下部の左右にそれぞれ配置固定し、上記横材２２０を左右の受け部２４６間に配置し、踏み面１３の下部の根太材１２を支持材２４０で支持することも可能であり、これにより踏み面１３の中間部が支持され、踏み面１３を補強し荷重強度が高められる。
【０１０４】
このようにして、段床の構造に関し、支持脚、受梁材、束材、及び蹴込み材等が組み立てられ、段床の骨組みとして下地が構成される。
段床の仕上げについて、踏み板１４、根太材１２、蹴込み板１５及び表面材１６等の施工は、上記第一の実施の形態と同様に行う。また、踏み板１４、蹴込み板１５（外側及び内側）の配置、取付けに際しては、蹴込み材の蹴込み板部の角度（鋭角又は直角）に応じた形態で施工する。
【０１０５】
従って、上記第二の実施の形態によれば、第一の実施の形態と同様に、生産性及び経済性に優れ、また段床のユニット化により作業の効率化が図れ、また個々の部材をコンパクト化し、現場では主にネジを用いて各部材を組み立てる形態であることから、作業が迅速且つ容易に行えて施工性にも優れ維持管理も容易に行え、ホールの形態等に対して自由度が高く柔軟に適応でき、加えて各部材の汎用性が高く、経済性にも優れる。
【符号の説明】
【０１０６】
２  基礎面部
４  支持脚
５  保持具
６  受梁材
７  第二受梁材
８  束材
９  第二束材
１０，１５０，１５１  蹴込み材
１１  第二蹴込み材
１２  根太材
１３  踏み面
７８，８６  上板部
８０，８８  蹴込み板部
８２，９０  下板部
１５２，１５３  上部蹴込み材
１５４，１５５  下部蹴込み材
１９０  蝶番
２００  固定材
２１０，２３０  支持部材
２４０  支持材
２５２  第三蹴込み材
【図１】
0006588850.tif 000002
【図２】
0006588850.tif 000003
【図３】
0006588850.tif 000004
【図４】
0006588850.tif 000005
【図５】
0006588850.tif 000006
【図６】
0006588850.tif 000007
【図７】
0006588850.tif 000008
【図８】
0006588850.tif 000009
【図９】
0006588850.tif 000010
【図１０】
0006588850.tif 000011
【図１１】
0006588850.tif 000012
【図１２】
0006588850.tif 000013
【図１３】
0006588850.tif 000014
【図１４】
0006588850.tif 000015
【図１５】
0006588850.tif 000016
【図１６】
0006588850.tif 000017
【図１７】
0006588850.tif 000018
【図１８】
0006588850.tif 000019
【図１９】
0006588850.tif 000020
【図２０】
0006588850.tif 000021
【図２１】
0006588850.tif 000022